(57)【要約】【課題】不適切な位置にリモートコントローラを設置した場合、乾電池の電池容量を充分に使い切れずに使用できなくなるために、乾電池の交換時期が早まる結果となる。最適な設置位置にリモートコントローラを設置できれば、乾電池の電池容量を充分に使い切ることができるため、省資源になるとともに、電池の交換時期が短くなることを防ぐことが可能となる。【解決手段】信号送受信において、最適な設置位置にリモートコントローラを設置できるようにするために、製品出荷時の送信部、受信部の保護材に赤外線を減衰する樹脂を使用し、又は電池端子部に乾電池電流を減衰する部品を設けることにより、設置時に乾電池の交換時期と同等の送受信性能を模擬できる構造とした。【選択図】　図１
2004124372.tif 000002
【特許請求の範囲】
【請求項１】
電源を乾電池とする、赤外線を用いたリモートコントローラを有したトイレ装置にあって、リモートコントローラ設置時に、交換時期を迎えた乾電池により動作している時と同等のリモートコントローラの赤外線送信能力を模擬できることを特徴とした、トイレ装置。
【請求項２】
請求項１にあって、リモートコントローラの赤外線送信窓を覆うカバーを、赤外線透過率の低い樹脂材を用いる構造としたことを特徴とした、トイレ装置。
【請求項３】
請求項１にあって、リモートコントローラの赤外線送信窓の傷つき防止フィルムを、赤外線透過率の低いフィルムとしたことを特徴とした、トイレ装置。
【請求項４】
請求項１にあって、本体側の赤外線受信窓を赤外線透過率の低い樹脂材で覆える構造としたことで、前記赤外線送信能力を模擬できる様にしたことを特徴とした、トイレ装置。
【請求項５】
請求項１にあって、本体側の赤外線受信窓の傷つき防止フィルムを、赤外線透過率の低いフィルムとしたことを特徴とした、トイレ装置。
【請求項６】
請求項１にあって、乾電池と接触子の間に電源電流を減衰する素子を付加できる構造としたことを特徴とした、トイレ装置。
【請求項７】
請求項１にあって、赤外線の搬送波のデューティを切り替えられる構造としたことを特徴とした、トイレ装置。
【請求項８】
請求項１にあって、赤外送信ＬＥＤを駆動する制限抵抗の値を切り替えられる構造としたことを特徴とした、トイレ装置。
【発明の詳細な説明】
【０００１】
【発明の属する技術分野】
本発明は、電源を乾電池とする赤外線を用いたリモートコントローラを有したトイレ装置に関する。
【０００２】
【従来の技術】
従来のトイレ装置における赤外線を用いたリモートコントローラでは、信号の受信状態が良好の時と悪い時とで、電源となる電池の本数で切替えたり、送信電流値を切替えて、受信状態を改善する発明が有る（例えば、特許文献１参照。）。
一般的な、電源を乾電池とする、赤外線を用いたリモートコントローラを有したトイレ装置の設置方法を、図１０を例に説明する。便器１０の上に設置されるトイレ装置３６は、暖房装置を付加した便座１２と人体局部を洗浄するために加温された温水を吐水するノズル１８等から構成されている。該トイレ装置３６は、人が該便座１２に座って使用することから、製品に背を向けて使用する形態となる。従って、主操作装置を本体側に設けず、体をひねることなく操作できる壁に、独立して主操作装置を設置することで操作をしやすくしている。本体から独立して壁に設置された主操作装置すなわちリモートコントローラ２２は、赤外線透過率の優れた赤外線送信窓２４から、操作されたスイッチに該当する赤外線信号を送信し、本体側は赤外線透過率の優れた赤外線受信窓２８から該信号を取り込み、コントローラ３０で信号を判別し、信号に従って製品の動作を制御する。トイレ装置３６はその形態及びトイレ室内の取り合いから、赤外線受信窓２８をリモートコントローラ２２に向けて設置できない場合が想定される。また、同様に壁に固定されるリモートコントローラ２２も、赤外線送信窓２４が直接本体赤外線受信窓２８を狙う位置に設置できない場合が多い。
従って、赤外線を用いたリモートコントローラを有したトイレ装置にあっては、光路０１の様な天井での反射、光路０２の様な背面の壁での反射及び光路０３の様な対面の壁での反射を利用して、赤外線送信窓２４から送信された赤外線信号を赤外線受信窓２８へ届く様に設計している。
しかしながら、天井や壁に反射した赤外線信号は、その材質や表面の状態、色によって散乱の仕方や減衰量が異なる。また、天井には照明器具、壁には飾りや棚、トイレットペパーホルダー等が設けられるため、赤外線信号の光路がさえぎられたり、赤外線信号の減衰量が増大したりしていた。これらの影響により、リモートコントローラを設置する際の乾電池電圧が充分な時には問題なく信号を受けつけていても、乾電池電圧が少し減少しただけで受信できなくなるリモートコントローラを設置する場所としては不適切な設置位置が存在していた。
【０００３】
【特許文献１】
特開平１１−１１７３６８号公報
【０００４】
【発明が解決しようとする課題】
従来技術では、リモートコントローラ設置の際の乾電池が新品の時においては、交換時期を迎えた乾電池により動作している時と同等のリモートコントローラの赤外線送信能力を模擬できないため、該不適切な設置位置を、リモートコントローラを設置する際に検出できなかった。この結果、リモートコントローラを該不適切な位置に設置してしまうことになるため、充分に使い切らずに使用できなくなるために、乾電池の交換時期が早まる結果となっていた。
また、文献１の方法であっても、該不適切な設置位置を避けることをしないため、赤外線送信窓２４と赤外線受信窓２８との間に、赤外線を透過しない障害物が存在してしまう位置に、リモートコントローラが設置される場合を想定せざるを得ず、最適な位置にリモートコントローラを設置した場合より、赤外線の送信能力を高めに設定することとなり乾電池の電池容量を有効に使えなかった。
リモートコントローラの設置に際しては、アンカーボルト等を使用し、壁面に固定するため、一度設置してしまうと、トイレブースの壁面にボルト穴等が残ってしまうため、安易には設置位置を変更できなかった。
【０００５】
【課題を解決するための手段】
本発明は、赤外線信号の光量を減衰する構造を有し、又は、電池電圧そのものを電池切れ想定時の電圧まで減衰する構造を有し、又は、赤外線発光電流を電池切れ想定時の電流値に減衰する構造を有することでリモートコントローラ設置の際の乾電池が新品の時においても、交換時期を迎えた乾電池により動作している時と同等のリモートコントローラの赤外線送信能力を模擬できるようにすることで、信号の送受信が最適となるリモートコントローラの設置位置を設定できる構造とするものである。
【０００６】
【発明の実施の形態】
図１に請求項２又は３の実施の１例を示し、図１０を用いて実施の形態を説明する。該リモートコントローラ２２は、スイッチ２６Ａ、２６Ｂをはじめとする複数のスイッチと設定状態を表示する表示部２８、設定を変更するスイッチ及び赤外線を送信する赤外透過率が高く、可視光を減じる赤外線送信窓２４等とからなっている。赤外線送信窓２４は赤外線という光を透過する機能から、輸送、保管時に傷がつかないようフィルム０５を貼ったり、あるいはリモコン全体をフィルムで覆ったりしている。尚、表示部２８はＬＣＤ表示装置であっても、複数のＬＥＤを組み合わせたものであっても、また、表示部を有しなくても良いものとする。赤外線を送信する部分は赤外線送信窓２４を有さず、ＬＥＤ頭部が直接リモートコントローラの外にでる構造であっても良いものとする。
【０００７】
該操作スイッチが操作されると、設定の変更を伴うスイッチであれば表示部２８の表示状態を変更し、その操作スイッチに対応してあらかじめ割り当てられているコードを、赤外線信号として赤外線送信窓２４から送信する。送信される赤外線信号の１例を図２に示す。通常図２に示された赤外線信号は外乱光の影響を受けにくくするため、図３に示す搬送波によって変調して送信される。但し、図３は搬送波の１例であって、図中の数値に限定するものではない。
また、該リモートコントローラの赤外線送信能力は、例えば、乾電池が新品の時の赤外線量を１０とした時、その赤外線量が１となった時を電池交換の時期となるように、設計しているとする。
傷防止のフィルム０５に赤外線透過率の低いフィルム、例えば車のサイドガラス等に熱線遮断を目的として取り付けるために一般的に市販されている（イモニウム系、アミニウム系、シアニン系、ポリメチン系、アントラキノン系等の赤外線吸収剤を塗布した）カーフィルム等を送信窓の傷防止フィルムとして用いることにする。あるいは同等の赤外線透過率の樹脂材（イモニウム系、アミニウム系、シアニン系、ポリメチン系、アントラキノン系等の赤外線吸収剤を練りこんだ樹脂）を保護カバーとして取り付けられる様にしても良い。前記赤外線吸収剤は一例を示すものであり、同等の効果を得られるものであれば、前記した成分に限定しない。
【０００８】
本来、リモートコントローラ設置時には赤外線送信窓２４のフィルム０５をはがしてから設置するが、本件ではフィルム０５を残した状態でリモートコントローラを仮設置する。この状態でリモートコントローラを操作すると、乾電池が新品であっても、フィルム０５を透過して赤外線送信窓２４から送信される赤外線量は電池交換時期として設定した赤外線量に減衰されている。このように減衰した赤外線は光路０１〜０３のどれかを進行し、壁または天井（あるいは床であっても良い）を反射して本体側赤外線受信窓２８に届く。ここで本体側がリモートコントローラからの信号を受付け動作すれば、仮設置位置からの光路の状態は設計条件を満たしていることになり、電池容量を充分に使いきれる状態にあることがわかる。また、この時本体側が動作しなければ、仮設置位置からの光路は照明器具や棚、飾り等の障害物により妨害されているか、反射面の状態が設計条件を満たしていないことがわかるため、仮設置位置を変更し、障害物により妨害されない位置を探すことが可能である。又は、減衰量の少ない光路０１〜０３を選択したり、減衰量が高くても、赤外線受信部２８に設計値を満足する赤外線信号が届くリモートコントローラの設置位置を探すことが可能となる。このようにして最適な設置場所が決定したらフィルム０５を外し、リモートコントローラ２２を本設置する。
【０００９】
また、請求項４、５での、赤外透過率の低い樹脂の取り付け及び、赤外透過率の低い傷防止フィルム０５の貼り付けを、本体の赤外線受信窓に適用した場合の実施例を図４に示す。本体側赤外線受光窓で赤外線量を減衰することで請求項２、３と同等の効果を得る。
請求項６の実施例を図５から図７を用いて説明する。リモートコントローラ２２は図５に示すように乾電池５０を装着するスペースとその乾電池から電流を取り出すための接触子５６を保持するスペースがもうけられている。図６に示す様な、接触子５６と接触する突起０７を有し、電池と接触する板０６からなり、板０６又は突起０７あるいはその両方に抵抗値を有する構造とした部品を、図７に示すように電池収納部に装着して、リモコンを仮設置することする。図８に示すように乾電池電圧と赤外発光ＬＥＤの電流とは、その回路から電圧―電流特性が決まっており、赤外発光ＬＥＤの赤外線量はそのＬＥＤ電流と相関を有することから、板０６又は突起０７あるいはその両方の抵抗値をＬＥＤ電流が流れた時に新品電池の電圧において、交換時期として設定した電圧となる様に設定することで、赤外線送信能力を、交換時期を迎えた乾電池により動作している時と同等とすることが可能となる。電流値を制限する抵抗を基板上に設け、スイッチにより切り替える事にしても良いこととする。
【００１０】
請求項７の実施例を図２、図３を用いて説明する。赤外線発光ＬＥＤは図２に１例を示す駆動信号で動作する。この駆動信号は外乱光の影響を除去する目的で図３に１例を示す搬送波で変調される。この搬送波のデューティを通常例えば３３％であるのを、設置時には３％に切り替えることで、赤外線発光ＬＥＤの駆動電流を平均値として１に減じる。デユーティの切り替えは例えば、図９に示す赤外線発光ＬＥＤ６４の駆動を制御するマイコン６５に、スイッチ６６の状態を取り込むことで行うこととする。赤外線量は赤外線発光ＬＥＤの駆動電流に相関があることから、赤外線送信能力を、交換時期を迎えた乾電池により動作している時と同等の１／１０にすることが可能となる。
【００１１】
請求項８の実施例を図９の回路図で示す。赤外線発光ＬＥＤ６４の駆動電流を制限する抵抗６１の値を、スイッチ６３により、赤外線発光ＬＥＤ６４の駆動電流が１／１０に減じる抵抗６２に切り替える事で、赤外線送信能力を、交換時期を迎えた乾電池により動作している時と同等の１／１０にする様にしても赤外線送信能力を、交換時期を迎えた乾電池により動作している時と同等の１／１０にすることが可能となる。
【００１２】
【発明の効果】
本発明は上記構成により次の効果を発揮する。
トイレ装置に使用される赤外線を送信手段としているリモートコントローラにあって、直接受信部を狙う位置に設置できず、壁・床・天井等での反射を利用して赤外線を本体受信部へ送信しているリモートコントローラにあって、前記反射させる面の状態や、そこに取り付けられる小物入れ、ペーパーホルダー、手すり、照明器具等の反射を妨げるものにより、受信性能が大きく影響を受ける使用形態であっても、適切な位置にリモートコントローラを設置可能となるため、乾電池の電池容量を充分に使い切ることができるため、省資源になるとともに、電池の交換時期が短くなることを防ぐことが可能となる。
【図面の簡単な説明】
【図１】本発明の請求項２又は３の実施例を示すリモートコントローラの図である。
【図２】赤外線発光ＬＥＤを駆動する信号波形の１例を示す図である。
【図３】赤外線発光ＬＥＤを駆動する信号波形の搬送波の１例を示す図である。
【図４】本発明の請求項４又は５の実施例を示す本体側赤外線受信部の図である。
【図５】電池収納部の概略を示す図である。
【図６】本発明の請求項５を実施するための導電子を示す図である。
【図７】本発明の請求項５の実施例を示す乾電池収納部の図である。
【図８】電池電圧―と駆動電流の相関を示す図である。
【図９】リモートコントローラの回路の概略を示す図である。
【図１０】リモコンの設置及び、赤外線信号の光路を説明する図である。
【符号の説明】
０１　　　天井面光路
０２　　　背壁面光路
０３　　　対壁面光路
１０　　　便器
１２　　　便座
１８　　　ノズル
２２　　　リモートコントローラ
２４　　　赤外線送信窓
２８　　　赤外線受信窓
３０　　　コントローラ
３６　　　トイレ装置
２６Ａ　　スイッチ
２６Ｂ　　スイッチ
２８　　　表示部
０５　　　フィルム
０６　　　板
０７　　　突起
５０　　　乾電池
５３　　　赤外線信号オン部
５４　　　搬送波オン部
５５　　　搬送波オフ部
５６　　　接触子
５７　　　リモートコントローラ電池収納部
６１　　　抵抗
６２　　　抵抗
６３　　　スイッチ
６４　　　赤外線発光ＬＥＤ
６５　　　マイコン
６６　　　スイッチ
【図１】
2004124372.tif 000003
【図２】
2004124372.tif 000004
【図３】
2004124372.tif 000005
【図４】
2004124372.tif 000006
【図５】
2004124372.tif 000007
【図６】
2004124372.tif 000008
【図７】
2004124372.tif 000009
【図８】
2004124372.tif 000010
【図９】
2004124372.tif 000011
【図１０】
2004124372.tif 000012